(57)【要約】【課題】照明部を備えているため暗い場所でも状況確認がしやすく、壁際のごみも吸い込みやすく、また照明部のカバーを効果的に保護することのできる床用吸込具を提供する。【解決手段】床用吸込具１は、本体ケース１０の底面に吸込口１５を有する。本体ケース１０内には、駆動源で回転する回転ブラシ１６が吸込口１５に臨む形で配置される。本体ケース１０の上面には前方を照らす照明部２１が設けられる。吸込口１５は本体ケース１０の前面まで延長され、前面吸込口１７を形成している。前面吸込口１７にも回転ブラシ１６が臨んでいる。前面吸込口１７にはそれを閉ざすため跳ね上げ式のシャッター１８が設けられる。シャッター１８は、前面吸込口１７を開くため角度を変えるとき、照明部２１を前方の障害物から保護する位置に変位する。【選択図】図５
2010148661.tif 000002
【特許請求の範囲】
【請求項１】
底面に吸込口を有する本体ケース内に、駆動源で回転する回転ブラシを前記吸込口に臨ませて配置するとともに、前記本体ケースの上面には、前方を照らす照明部を設けた電気掃除機の床用吸込具において、
前記吸込口を前記本体ケースの前面まで延長して前面吸込口を形成し、この前面吸込口にも前記回転ブラシを臨ませるとともに、前記前面吸込口にはそれを閉ざす跳ね上げ式のシャッターを設け、前記シャッターは、前記前面吸込口を開くため角度を変えるとき、前記照明部を前方の障害物から保護する位置に変位することを特徴とする床用吸込具。
【請求項２】
前記シャッターの一部は前方に突出するバンパー部となり、前記シャッターが前記前面吸込口を開くと、前記バンパー部が前記照明部の前方に回り込むことを特徴とする請求項１に記載の床用吸込具。
【請求項３】
前記バンパー部には、前記照明部が投光する光を透過させる穴または切り欠きが形成されていることを特徴とする請求項２に記載の床用吸込具。
【請求項４】
前記バンパー部には、前記照明部が投光する光を透過させる透明板部が設けられていることを特徴とする請求項２に記載の床用吸込具。
【請求項５】
前記透明板部は、前記照明部が投光する光を屈折拡散させる凹レンズであることを特徴とする請求項４に記載の床用吸込具。
【請求項６】
前記バンパー部が前方の障害物に当たって圧力を受けると、前記シャッターに前記前面吸込口を開く方向のモーメントが作用することを特徴とする請求項１から５のいずれか１項に記載の床用吸込具。
【請求項７】
前記シャッターは、動力により前記前面吸込口を閉ざす角度へ、あるいはそれを開く角度へと角度変更されることを特徴とする請求項１から５のいずれか１項に記載の床用吸込具。
【請求項８】
前記回転ブラシと前記駆動源との間に変速機構が設けられ、前記シャッターの開閉により前記変速機構の変速シフトが行われることを特徴とする請求項１から７のいずれか１項に記載の床用吸込具。
【請求項９】
前記シャッターの開閉状態を検知し、その検知信号を当該床用吸込具が連結された電気掃除機に伝達する検知装置が設けられていることを特徴とする請求項１から８のいずれか１項に記載の床用吸込具。
【請求項１０】
請求項９に記載の床用吸込具を連結する電気掃除機であって、前記検知装置からの検知信号に基づき、前記シャッターの開閉状態に応じて前記回転ブラシの回転数を変える制御を行うことを特徴とする電気掃除機。
【発明の詳細な説明】
【技術分野】
【０００１】
本発明は、電気掃除機の床用吸込具及びそれを連結する電気掃除機に関する。
【背景技術】
【０００２】
電気掃除機の床用吸込具には、通常、回転ブラシが備えられている。特許文献１に見られるように、前方を照らす照明部を設けたものもある。照明部を設けておけば、部屋の隅やベッドの下など、部屋の照明が行き届きにくい場所を明るくすることができ、ごみの吸い込みもれや、吸い込んではならないものを吸い込んでしまったりする事態を避けることができる。
【０００３】
床用吸込具では吸込口は通常本体ケースの底面に形成され、この吸込口に臨む形で本体ケース内に回転ブラシが配置されるが、中には、本体ケースの前面まで吸込口を延長して前面吸込口を形成し、この前面吸込口にも前記回転ブラシを臨ませたものがある。特許文献２にその例を見ることができる。特許文献２記載の構成では、前面吸込口は、床面に面する吸込口からの吸込力が弱まらないようにするため、また回転中の回転ブラシに使用者の手指等が接触して怪我をするといった事故を回避するため、カバーで閉ざされる。壁などに接近させるときのみカバーが持ち上げられ、前面吸込口からの吸引が可能となる。
【０００４】
床用吸込具の従来の構成例を図２９及び図３０に示す。図２９は側面図、図３０は上面図である。床用吸込具１００は、偏平で横長の本体ケース１０１を有する。本体ケース１０１の後部中央からは図示しない電気掃除機に連結するための連結管１０２が突き出す。本体ケース１０１は後方の主車輪１０３と前方の補助車輪１０４により床の上に支持される。本体ケース１０１の底面には図示しない吸込口が形成され、そこから回転ブラシ１０５の一部が突き出す。
【０００５】
本体ケース１０１の上面には照明部１０６が設けられる。照明部１０６は、本体ケース１０１に一体成型で、あるいは別体の部品を取り付けて構成され、前面が開口となったハウジング部１０６ａと、ハウジング部１０６ａの内部に配置され、ハウジング部１０６ａの前面開口から前方に投光する図示しない光源と、ハウジング部１０６aの前面開口を覆う透明樹脂製のカバー１０６ｂからなる。
【特許文献１】特開平４−５４９３０号公報（国際特許分類：Ａ４７Ｌ９／０４）
【特許文献２】特開２００４−１４１５３６号公報（国際特許分類：Ａ４７Ｌ９／０２）
【発明の開示】
【発明が解決しようとする課題】
【０００６】
床用吸込具は家具や壁などの障害物に頻繁に衝突する。図２９及び図３０に示す従来の床用吸込具１００で言えば、照明部１０６のカバー１０６ｂが特に衝突しやすい箇所となる。衝突しても破損しないようにするには、耐衝撃性の高い樹脂で成型すればよいが、カバー１０６ｂの場合、透明であることとコストが樹脂選定の第一条件となり、必ずしも耐衝撃性の高さを基準にできる訳ではない。そのため、カバー１０６ｂが壁や家具に衝突しないようにする手立てが求められていた。
【０００７】
本発明は上記の点に鑑みなされたものであり、照明部を備えているため暗い場所でも状況確認がしやすく、壁際のごみも吸い込みやすく、また照明部のカバーを効果的に保護することのできる床用吸込具を提供することを目的とする。さらに、その床用吸込口を連結して清掃効率を高めることができる電気掃除機を提供することを目的とする。
【課題を解決するための手段】
【０００８】
上記目的を達成するために本発明は、底面に吸込口を有する本体ケース内に、駆動源で回転する回転ブラシを前記吸込口に臨ませて配置するとともに、前記本体ケースの上面には、前方を照らす照明部を設けた電気掃除機の床用吸込具において、前記吸込口を前記本体ケースの前面まで延長して前面吸込口を形成し、この前面吸込口にも前記回転ブラシを臨ませるとともに、前記前面吸込口にはそれを閉ざす跳ね上げ式のシャッターを設け、前記シャッターは、前記前面吸込口を開くため角度を変えるとき、前記照明部を前方の障害物から保護する位置に変位することを特徴としている。
【０００９】
この構成によると、本体ケースの上面に設けられた照明部により、部屋の隅やベッドの下など、部屋の照明が行き届きにくい場所を明るくすることができ、ごみの吸い込みもれや、良く確認できないままに吸い込んではならないものを吸い込んでしまったりする事態を避けることができる。また本体ケース底面の吸込口を本体ケースの前面まで延長して前面吸込口としたから、壁際や家具の間際のごみも良く吸い込むことができる。前面吸込口は、そこからごみを吸い込まないときはシャッターで閉ざされるから、床面に面する吸込口からの吸込力が弱まることもなく、また回転中の回転ブラシに使用者の手指等が接触して怪我をするといった事故も回避できる。そしてシャッターは、前面吸込口を開くために角度を変えるとき、照明部を前方の障害物から保護する位置に変位するから、照明部に障害物が衝突して透明カバーに傷がついたり破損したりすることもない。
【００１０】
また本発明は、上記構成の床用吸込具において、前記シャッターの一部は前方に突出するバンパー部となり、前記シャッターが前記前面吸込口を開くと、前記バンパー部が前記照明部の前方に回り込むことを特徴としている。
【００１１】
この構成によると、バンパー部を形成したことにより剛性が増し、シャッターの強度が向上する。バンパー部が照明部の前方に回り込むことにより、照明部の保護も一層効果的なものとなる。
【００１２】
また本発明は、上記構成の床用吸込具において、前記バンパー部には、前記照明部が投光する光を透過させる穴または切り欠きが形成されていることを特徴としている。
【００１３】
この構成によると、バンパー部の存在で前方照明が阻害されるということがない。
【００１４】
また本発明は、上記構成の床用吸込具において、前記バンパー部には、前記照明部が投光する光を透過させる透明板部が設けられていることを特徴としている。
【００１５】
この構成によると、バンパー部の存在で前方照明が阻害されるということがない。
【００１６】
また本発明は、上記構成の床用吸込具において、前記透明板部は、前記照明部が投光する光を屈折拡散させる凹レンズであることを特徴としている。
【００１７】
この構成によると、広い範囲を照明することが可能となる。
【００１８】
また本発明は、上記構成の床用吸込具において、前記バンパー部が前方の障害物に当たって圧力を受けると、前記シャッターに前記前面吸込口を開く方向のモーメントが作用することを特徴としている。
【００１９】
この構成によると、バンパー部を障害物に押し当てるだけでシャッターを開くことができる。
【００２０】
また本発明は、上記構成の床用吸込具において、前記シャッターは、動力により前記前面吸込口を閉ざす角度へ、あるいはそれを開く角度へと角度変更されることを特徴としている。
【００２１】
この構成によると、労力を要さずシャッターを開閉することができる。
【００２２】
また本発明は、上記構成の床用吸込具において、前記回転ブラシと前記駆動源との間に変速機構が設けられ、前記シャッターの開閉により前記変速機構の変速シフトが行われることを特徴としている。
【００２３】
この構成によると、底面の吸込口から吸い込みを行う場合と、前面吸込口から吸い込みを行う場合とで回転ブラシの回転数を変えることができる。例えば、前面吸込口から吸い込みを行う場合は、安全のため回転ブラシを減速回転させることができる。
【００２４】
また本発明は、上記構成の床用吸込具において、前記シャッターの開閉状態を検知し、その検知信号を当該床用吸込具が連結された電気掃除機に伝達する検知装置が設けられていることを特徴としている。
【００２５】
この構成によると、シャッターの開閉状態を電気掃除機に伝達し、電気掃除機の制御に役立てることができる。
【００２６】
上記目的を達成するために本発明は、上記床用吸込具を連結する電気掃除機であって、前記検知装置からの検知信号に基づき、前記シャッターの開閉状態に応じて前記回転ブラシの回転数を変える制御を行うことを特徴としている。
【００２７】
この構成によると、シャッターの開閉状態に応じてそれに適した回転数で回転ブラシを回転させることができる。前面吸込口から吸い込みを行う場合は、安全のため回転ブラシを減速回転させることができる。
【発明の効果】
【００２８】
本発明によると、部屋の隅やベッドの下など、部屋の照明が行き届きにくい場所でも明るくして清掃を行うことができ、壁際や家具の間際のごみも良く吸い込める上、照明部の透明カバーが破損したりする懸念の少ない床用吸込具を得ることができる。
【発明を実施するための最良の形態】
【００２９】
以下本発明の第１実施形態を図１から図７に基づき説明する。図１は第１実施形態に係る床用吸込具の側面図、図２は第１実施形態に係る床用吸込具の垂直断面図、図３は第１実施形態に係る床用吸込具の、シャッターが障害物に当たった状況を示す側面図、図４は第１実施形態に係る床用吸込具の、前面吸込口を開いた状態の側面図、図５は第１実施形態に係る床用吸込具の、前面吸込口を開いた状態の垂直断面図、図６は第１実施形態に係る床用吸込具の上面図、図７は第１実施形態に係る床用吸込具で用いられるシャッターの斜視図である。なお図１において左側が床用吸込具の前方（前部）、右側が後方（後部）である。床用吸込具の左側と右側は、使用者が床用吸込具の後ろに立って前方を見たときの使用者の左側と右側に一致するものとする。
【００３０】
第１実施形態に係る床用吸込具１は、偏平で横長の本体ケース１０を有する。本体ケース１０の後部中央からは図示しない電気掃除機に連結するための連結管１１が突き出す。連結管１１はジョイント部１２（図２参照）により垂直面内で回動できるように本体ケース１０に取り付けられている。ジョイント部１２は、連結管１１の内部と本体ケース１０の内部を気密に連結するものでもある。連結管１１には、本体ケース１０内の後述する電動機やＬＥＤランプに電気掃除機側から電力を供給し、またそれらを制御する電気配線が組み込まれている。
【００３１】
本体ケース１０は、後部に配置した主車輪１３と、それよりも前方に配置した補助車輪１４により床の上に支持される。主車輪１３と補助車輪１４はそれぞれ左右１対ずつ設けられる。本体ケース１０の底面には、前端に近い部分に吸込口１５（図２参照）が形成されている。本体ケース１０の内部には、吸込口１５に臨む形で回転ブラシ１６が配置される。回転ブラシ１６は、前方から見た幅、すなわち正面幅が吸込口１５の正面幅よりも少し短く、ブラシ下部が吸込口１５を通り抜けて床の方に突き出す。回転ブラシ１６は、本体ケース１０内に配置した図示しない電動機を動力源として回転せしめられる、いわゆるパワーブラシである。
【００３２】
吸込口１５は本体ケース１０の前面まで延長され、その結果、本体ケース１０の前面に前面吸込口１７が形成されている。回転ブラシ１６は前面吸込口１７にも臨んでおり、ブラシ前部は前面吸込口１７から僅かに突き出している。
【００３３】
前面吸込口１７には図７に示す形状のシャッター１８が設けられる。シャッター１８は跳ね上げ式であり、左右両側に設けられた支点軸１９で本体ケース１０に取り付けられ、支点軸１９を中心として、図１及び図２に示す位置と、図４及び図５に示す位置の間を回動する。図１及び図２に示す位置で、シャッター１８は前面吸込口１７を閉ざし、図４及び図５に示す位置で、シャッター１８は前面吸込口１７を全開にする。シャッター１８は通常は重力で図１及び図２に示す位置に保たれる。
【００３４】
シャッター１８の一部は前方に突出するバンパー部２０となっている。バンパー部２０はシャッター１８と同じ正面幅を有するうね状の突部であって、図２に見られるように断面Ｖ字状であり、この形状のためシャッター１８の剛性が増し、強度が向上している。バンパー部２０は水平にではなく斜め上方向に突き出しており、図１及び図２に示すシャッター閉鎖位置において、その先端は支点軸１９よりも高い位置にある。
【００３５】
本体ケース１０の上面には照明部２１が設けられる。照明部２１は、本体ケース１０に一体成型で、あるいは別体の部品を取り付けて構成され、前面が開口となったハウジング部２２と、ハウジング部２２の内部に配置され、ハウジング部２２の前面開口から前方に投光するＬＥＤランプ２３と、ハウジング部２２の前面開口を覆う透明樹脂製のカバー２４からなる。なお図２はカバー２４を取り外した状態で描かれている。
【００３６】
床用吸込具１は、図示しない電気掃除機に図示しないホース及び延長パイプを介して連結され、次のように動作する。ホースの手元操作部を操作して電気掃除機をパワーＯＮの状態にすると、連結管１１から本体ケース１０を通じて空気の吸い込みが始まる。床用吸込具１が壁や家具から引き離されているときは、シャッター１８は図１及び図２に示す位置に下りており、前面吸込口１７は閉ざされ、底面の吸込口１５からのみ空気が吸い込まれる。必要に応じ手元操作部の操作でＬＥＤランプ２３を点灯し、床用吸込具１の前方を照らす。
【００３７】
図６に示すように、本体ケース１０には連結管１１の左側に足踏みスイッチ２５が設けられている。足踏みスイッチ２５は回転ブラシ１６を回転させる電動機の制御スイッチであり、必要に応じこれを踏んで回転ブラシ１６を回転させる。前面吸込口１７はシャッター１８で閉ざされているため、回転中の回転ブラシ１６に使用者の手指等が接触して怪我をするといった事故を回避できる。
【００３８】
壁際や家具の間際の掃除を行うときは、図３に示すように、壁や家具（図３では仮想線Ｗでその存在を象徴する）に床用吸込具１を接近させ、シャッター１８のバンパー部２０を壁や家具に押しつける。すると、前述の通りバンパー部２０の先端は支点軸１９よりも高い位置にあるため、バンパー部２０に圧力が加わると、シャッター１８には支点軸１９を中心とするモーメントが発生する。モーメントは図３では時計回り方向であり、シャッター１８が前面吸込口１７を開く方向に作用し、シャッター１８は跳ね上げられる。すなわちシャッター１８は本体ケース１０の中に入って行き、バンパー部２０が照明部２１の前方へ回り込む。最大限に跳ね上げられると、シャッター１８は図４及び図５に示す位置に来る。
【００３９】
シャッター１８を跳ね上げると前面吸込口１７が開くので、前方からもごみを吸い込むことができる。前方からのごみの通過を回転ブラシ１６が阻害しないよう、回転ブラシ１６を回転させておくのがよい。床用吸込具１を壁や家具から引き離せば、シャッター１８は再び図１及び図２に示す位置に下がる。
【００４０】
シャッター１８は、前面吸込口１７を開くために角度を変えると、バンパー部２０が照明部２１の前方に回り込む。このため、照明部２１は前方の障害物―壁や家具、その他―から保護され、照明部２１に障害物が衝突してカバー２４に傷がついたり破損したりすることがなくなる。
【００４１】
続いて本発明の第２実施形態以下の実施形態を図８以下の図に基づき説明する。これらの実施形態では、床用吸込具の符号「１」に「Ａ」「Ｂ」…と実施形態後毎に異なる添字を付して第１実施形態と区別する。同様に、構成要素の中で第１実施形態にも存在したが第１実施形態から構造が変わったものにはその符号に「Ａ」「Ｂ」…と実施形態後毎に異なる添字を付して第１実施形態と区別する。第１実施形態と変わらない構成要素には第１実施形態で用いたのと同じ符号を付し、説明は省略する。
【００４２】
第２実施形態を図８から図１１に示す。図８は第１実施形態で配慮すべきであった点を説明する床用吸込具の垂直断面図、図９は第２実施形態に係る床用吸込具の垂直断面図、図１０は第２実施形態に係る床用吸込口で用いられるシャッターの斜視図、図１１は第２実施形態に係る床用吸込口で用いられるシャッターを異なる角度から見た斜視図である。
【００４３】
照明部２１のＬＥＤランプ２３は、床用吸込具の前方を照らすように光軸が設定されている。第１実施形態の床用吸込具１では、図８に示すように、シャッター１８のバンパー部２０が光軸を遮り、光が床に届くのを妨げていた。
【００４４】
そこで第２実施形態に係る床用吸込具１Ａでは、シャッター１８Ａのバンパー部２０Ａに横長の穴２６を形成した。照明部２１が投光する光は穴２６を透過するので、光が床に届かないという問題は解消する。
【００４５】
第３実施形態を図１２と図１３に示す。図１２は第３実施形態に係る床用吸込具の垂直断面図、図１３はシャッターの斜視図である。
【００４６】
第３実施形態に係る床用吸込具１Ｂでは、シャッター１８Ｂのバンパー部２０Ｂに横長の切り欠き２７を形成した。照明部２１が投光する光は切り欠き２７を透過するので、光が床に届かないという問題は解消する。
【００４７】
第４実施形態を図１４に示す。図１４は第４実施形態に係る床用吸込具のシャッターの斜視図である。
【００４８】
第２実施形態ではシャッターのバンパー部に穴を形成し、第３実施形態ではシャッターのバンパー部に切り欠きを形成したが、第４実施形態ではシャッター１８Ｃのバンパー部２０Ｃに横長の穴を設けた後、そこに透明樹脂パネルを嵌め込んで透明板部２８を形成した。照明部が投光する光は透明板部２８を透過するので、床に光が届かないという問題は解消する。
【００４９】
第５実施形態を図１５及び図１６に示す。図１５は第５実施形態に係る床用吸込具の垂直断面図、図１６は図１５の線Ａ−Ａに沿って得たシャッターのバンパー部の断面図である。
【００５０】
第５実施形態に係る床用吸込具１Ｄでは、シャッター１８Ｄ全体を透明樹脂で成型し、バンパー部２０Ｄそのものを透明板部とした。バンパー部２０Ｄの中でも照明部２０が投光する光を透過させる部分は、光を前後左右に屈折拡散させる凹レンズ２９として成型した。
【００５１】
ＬＥＤランプ２３は１個で用いられることはなく、図１６に示すように複数のＬＥＤランプ２３を横一列に展開するのであるが、それらのＬＥＤランプ２３からの光は凹レンズ２９によりさらに前後左右に屈折拡散するから、広い範囲を照明することが可能となる。
【００５２】
第６実施形態を図１７から図１９に示す。図１７及び図１８は第６実施形態に係る床用吸込具の垂直断面図で、シャッターの角度を異ならせたもの、図１９は図１７及び図１８とは９０°異なる方向から断面を得た床用吸込具の部分断面図である。
【００５３】
第６実施形態に係る床用吸込具１Ｅでは、シャッター１８Ｅに一体形成した支点軸１９Ｅに歯車３０が固定されている。歯車３０には本体ケース１０内に配置された電動機３１（図１９参照）の軸に固定された歯車３２がかみ合う。シャッター１８は、電動機３１を駆動することにより、前面吸込口１７を閉ざす角度へ、あるいはそれを開く角度へと角度変更される。このため、労力を要さずシャッター１８を開閉することができる。
【００５４】
支点軸１９Ｅは左右両側に存在するが、その両方を電動機３１で駆動する必要はない。どちらか一方だけに電動機３１を配置すればよい。電動機３１の制御については、足踏みスイッチ２５と同様の足踏みスイッチを本体ケース１０に追加することとしてもよく、ホースの手元操作部で操作することとしてもよい。
【００５５】
シャッター１８Ｅを回動させる動力源は電動機に限らない。電磁石でシャッター１８Ｅを回動させる構成も可能である。
第７実施形態を図２０から図２４に示す。図２０は第７実施形態に係る床用吸込具の水平断面図、図２１は第７実施形態に係る床用吸込具の垂直断面図、図２２は図２１の状態における変速プーリの位置を示す図、図２３は第７実施形態に係る床用吸込具の垂直断面図でシャッターの位置を図２１と異ならせたもの、図２４は図２３の状態における変速プーリの位置を示す図である。
【００５６】
第７実施形態に係る床用吸込具１Ｆは、回転ブラシ１６を電動機３３で回転させる。回転ブラシ１６と電動機３３の間には変速機構４０が介在している。変速機構４０は、電動機３３の軸に巻き掛けられたベルト４１と、回転ブラシ１６の軸に巻き掛けられたベルト４２と、電動機３３と回転ブラシ１６の間にあって、ベルト４１とベルト４２の両方を巻き掛ける変速プーリ４３と、変速プーリ４３を回転自在且つ軸線方向には移動不能に支持し、自身は本体ケース１０内の軸受部４４（図２２参照）に回転自在且つ軸線方向に移動可能に支持された変速シャフト４５と、変速シャフト４５の一方の端に当接する面カム４６を備える。変速プーリ４３は鼓形であり、中央の小直径部にベルト４１、４２の一方が巻き掛けられ、その両側の大直径部の一方にベルト４１、４２の他方が巻き掛けられる。変速シャフト４５は図示しないばねにより面カム４６に押しつけられる。面カム４６は支点軸１９を中心としてシャッター１８と共に回動する。
【００５７】
図２１のように、シャッター１８が前面吸込口１７を閉ざしている状態では、変速プーリ４３及びそれを支持する変速シャフト４５は図２２において左寄りの位置にある。この時は、ベルト４１が変速プーリ４３の中央の小直径部に巻き掛けられ、ベルト４２は図２２において小直径部の右側に位置する大直径部に巻き掛けられる。これは変速機構４０の高速側であり、回転ブラシ１６は高速回転する。
【００５８】
図２３のように、シャッター１８が前面吸込口１７を開いている状態では、変速プーリ４３及びそれを支持する変速シャフト４５は図２４に示すように面カム４６のカム突部４６ａで押され、図２４の右側にシフトする。すると、ベルト４１は変速プーリ４３の小直径部からその左側（図２４において）に位置する大直径部に乗り移り、ベルト４２は大直径部から小直径部に乗り移る。これは変速機構４０の低速側であり、回転ブラシ１６は減速回転する。
【００５９】
このように、本体ケース１０の底面の吸込口１５から吸い込みを行う場合には回転ブラシ１６が高速回転するから、ごみを力強くかき上げることができる。前面吸込口１７から吸い込みを行う場合には回転ブラシ１６は減速回転するから、安全性が向上する。
【００６０】
第８実施形態を図２５から図２７に示す。図２５及び図２６は第８実施形態に係る床用吸込具の垂直断面図で、シャッターの角度を異ならせたもの、図２７は第８実施形態に係る床用吸込具の水平断面図である。
【００６１】
第８実施形形態に係る床用吸込具１Ｇでは、本体ケース１０の内部に、シャッター１８の端部によって押されるスイッチ５０が配置されている。スイッチ５０はシャッター１８の開閉状態を検知する検知装置として機能する。
【００６２】
図２５のようにシャッター１８が前面吸込口１７を閉ざしている状態では、シャッター１８はスイッチ５０から離れている。スイッチ５０は「ＯＮ」または「ＯＦＦ」の状態にあり、この状態であることが検知信号として電気掃除機に伝達され、電気掃除機はシャッター１８が前面吸込口１７を閉ざしていることを認識する。
【００６３】
図２６のようにシャッター１８が前面吸込口１７を開くと、シャッター１８の端部がスイッチ５０を押す。これによりスイッチ５０のＯＮ／ＯＦＦ状態が逆転する。スイッチ５０のＯＮ／ＯＦＦ状態が逆転したことが検知信号として電気掃除機に伝達され、電気掃除機はシャッター１８が前面吸込口１７を開いたことを認識する。
【００６４】
このように、スイッチ５０より電気掃除機にシャッター１８の開閉状態を伝達し、電気掃除機の制御に役立てることができる。
【００６５】
例えば電気掃除機に、スイッチ５０からの検知信号に基づき、シャッター１８の開閉状態に応じて回転ブラシ１６の回転数を変える制御を行わせることができる。シャッター１８が前面吸込口１７を閉ざしている間は回転ブラシ１６を高速回転させるが、シャッター１８が前面吸込口１７を開いたときは回転ブラシ１６を減速回転させることとすれば、安全性が向上する。
【００６６】
上記各実施形態の構成は、矛盾をきたさない限り、色々と組み合わせて実施することができる。
【００６７】
床用吸込具に照明部を設けるについては、図２８に示す構成も可能である。すなわちここではシャッター１８を透明樹脂で成型し、バンパー部２０の中にＬＥＤランプ２３を配置している。このようにすれば、本体ケース１０の上面の照明部配置スペースが不要となる。
【００６８】
以上、本発明の実施形態につき説明したが、本発明の範囲はこれに限定されるものではなく、発明の主旨を逸脱しない範囲で種々の変更を加えて実施することができる。
【産業上の利用可能性】
【００６９】
本発明は電気掃除機の床用吸込具に広く利用可能である。
【図面の簡単な説明】
【００７０】
【図１】第１実施形態に係る床用吸込具の側面図である。
【図２】第１実施形態に係る床用吸込具の垂直断面図である。
【図３】第１実施形態に係る床用吸込具の、シャッターが障害物に当たった状況を示す側面図である。
【図４】第１実施形態に係る床用吸込具の、前面吸込口を開いた状態の側面図である。
【図５】第１実施形態に係る床用吸込具の、前面吸込口を開いた状態の垂直断面図である。
【図６】第１実施形態に係る床用吸込具の上面図である。
【図７】第１実施形態に係る床用吸込口で用いられるシャッターの斜視図である。
【図８】第１実施形態で配慮すべきであった点を説明する床用吸込具の垂直断面図である。
【図９】第２実施形態に係る床用吸込具の垂直断面図である。
【図１０】第２実施形態に係る床用吸込口で用いられるシャッターの斜視図である。
【図１１】図１０のシャッターを異なる角度から見た斜視図である。
【図１２】第３実施形態に係る床用吸込具の垂直断面図である。
【図１３】第３実施形態に係る床用吸込口で用いられるシャッターの斜視図である。
【図１４】第４実施形態に係る床用吸込具のシャッターの斜視図である。
【図１５】第５実施形態に係る床用吸込具の垂直断面図である。
【図１６】図１５の線Ａ−Ａに沿って得たシャッターのバンパー部の断面図である。
【図１７】第６実施形態に係る床用吸込具の垂直断面図である。
【図１８】第６実施形態に係る床用吸込具の垂直断面図で、シャッターの角度を図１７と異ならせたものである。
【図１９】図１７及び図１８とは９０°異なる方向から断面を得た床用吸込具の部分断面図である。
【図２０】第７実施形態に係る床用吸込具の水平断面図である。
【図２１】第７実施形態に係る床用吸込具の垂直断面図である。
【図２２】図２１の状態における変速プーリの位置を示す図である。
【図２３】第７実施形態に係る床用吸込具の垂直断面図で、シャッターの位置を図２１と異ならせたものである。
【図２４】図２３の状態における変速プーリの位置を示す図である。
【図２５】第８実施形態に係る床用吸込具の垂直断面図である。
【図２６】第８実施形態に係る床用吸込具の垂直断面図で、シャッターの位置を図２５と異ならせたものである。
【図２７】第８実施形態に係る床用吸込具の水平断面図である。
【図２８】床用吸込具の考え得る他の構成を示す垂直断面図である。
【図２９】床用吸込具の従来の構成例を示す側面図である。
【図３０】床用吸込具の従来の構成例を示す上面図である。
【符号の説明】
【００７１】
１    床用吸込具
１０  本体ケース
１１  接続管
１５  吸込口
１６  回転ブラシ
１７  前面吸込口
１８  シャッター
１９  支点軸
２０  バンパー部
２１  照明部
２２  ハウジング
２３  ＬＥＤランプ（光源）
２４  カバー
２６  穴
２７  切り欠き
２８  透明板部
２９  凹レンズ
３１  電動機
４０  変速機構
５０  スイッチ（検知装置）
【図１】
2010148661.tif 000003
【図２】
2010148661.tif 000004
【図３】
2010148661.tif 000005
【図４】
2010148661.tif 000006
【図５】
2010148661.tif 000007
【図６】
2010148661.tif 000008
【図７】
2010148661.tif 000009
【図８】
2010148661.tif 000010
【図９】
2010148661.tif 000011
【図１０】
2010148661.tif 000012
【図１１】
2010148661.tif 000013
【図１２】
2010148661.tif 000014
【図１３】
2010148661.tif 000015
【図１４】
2010148661.tif 000016
【図１５】
2010148661.tif 000017
【図１６】
2010148661.tif 000018
【図１７】
2010148661.tif 000019
【図１８】
2010148661.tif 000020
【図１９】
2010148661.tif 000021
【図２０】
2010148661.tif 000022
【図２１】
2010148661.tif 000023
【図２２】
2010148661.tif 000024
【図２３】
2010148661.tif 000025
【図２４】
2010148661.tif 000026
【図２５】
2010148661.tif 000027
【図２６】
2010148661.tif 000028
【図２７】
2010148661.tif 000029
【図２８】
2010148661.tif 000030
【図２９】
2010148661.tif 000031
【図３０】
2010148661.tif 000032